(57)【要約】　　　（修正有）【課題】　高周波電気信号の伝送品質を確保できるケーブルプラグの提供。【解決手段】　プラグ本体１と嵌合片２で組成され、該嵌合片の挿入部２２の提供する電気信号線の第３芯線３３と第６芯線３６が挿通される第３挿入チャネル２２３と第６挿入チャネル２２６の中心点がその他の各挿入チャネル２２１、２２２、２２４、２２５、２２７、２２８の中心線と非同一水平線上にあり、上下に適当な距離を離れた状態を呈し、これにより高周波信号伝送時に、第３芯線が第１、第２或いは第４、第５芯線３１、３２、３４、３５と相互干渉を発生せず、且つ第６芯線が第４、第５或いは第７、第８芯線３４、３５、３７、３８と相互干渉を発生せず、これにより高周波電気信号の伝送品質を確保し、また、電気信号線の各芯線の露出部分が減らされることにより、更に電気信号伝送品質を高めることができる。【選択図】　図６
0003100424.tif 000002
【実用新案登録請求の範囲】
【請求項１】
　プラグ本体と、嵌合片とを具えたケーブルプラグであり、
　該プラグ本体は、一体成形された係止部を具え、該係止部はＲＪ４５ソケットに挿入位置決めするのに供され、該プラグ本体の前側に８本の同じ間隔で設けられたスロットがあり、自動機械により８つの導電金属片を挿入するのに供され、該プラグ本体に空間が開設されて嵌合片の挿入に供され、且つ該空間がプラグ本体の前側に開設された８本のスロットと連通し、
　該嵌合片は、電気信号線を導入し、その前側は挿入部とされ、該挿入部に８本の挿入チャネルが開設され、且つ該挿入部の上方に別にスロットが開設されて各挿入チャネルと連通し、該８本の挿入チャネルが電気信号線の第１から第８芯線の挿入に供され、芯線を挿入後の嵌合片が該プラグ本体内に挿入されてプラグ本体に組み付けられるケーブルプラグにおいて、
　該嵌合片の挿入部の提供する第３芯線と第６芯線の挿入に供される第３挿入チャネルと第６挿入チャネルの中心点がその他の挿入チャネルの中心点と非同一中心線上にあり、上下に適当な距離を離れた状態を呈し、これにより高周波信号伝送時に、第３芯線が第１、第２或いは第４、第５芯線と相互干渉を発生せず、且つ第６芯線が第４、第５或いは第７、第８芯線と相互干渉を発生せず、これにより良好な高周波信号伝送品質を確保できることを特徴とする、ケーブルプラグ。
【請求項２】
　請求項１記載のケーブルプラグにおいて、嵌合片の挿入部の第３挿入チャネルが、第２、第４挿入チャネルと隔離されて隔離壁が形成され、第６挿入チャネルが第５、第７挿入チャネルと隔離されて隔離壁が形成され、これにより電気信号干渉防止機能が高められたことを特徴とする、ケーブルプラグ。
【考案の詳細な説明】
【技術分野】
【０００１】
　本考案は一種のケーブルプラグに係り、電気信号線が挿入される挿入片の第３及び第６挿入チャネルの中心点がその他の挿入チャネルの中心点と上下に適当な距離離れ、これにより、高周波信号伝送時に電気信号線の８本の芯線が相互間で干渉を発生せず、これにより電気信号伝送品質を確保できる、ケーブルプラグに関する。
【背景技術】
【０００２】
　図１から図４に示される周知の技術によると、挿入片４に電気信号線６の第１から第８芯線６１（図４では僅かに１本のみ表示されている）が挿入され、その後、さらにプラグ本体５に挿入され、続いて自動加圧機械（図示せず）で加圧加工して８片の導電金属片５３がそれぞれ電気信号線６の第１から第８芯線６１内の所定の深さまで挿入され、且つ電気信号線６の前方の所定部分が加圧により圧着位置決めされ、これにより組立が完成する。この構造は一般に３８６型、４８６型、５８６型コンピュータ或いはその他の低周波電気信号伝送例えば毎秒１０ＭＨｚ〜４０ＭＨｚに使用される場合には、電気信号の相互干渉の状況を発生しない。しかし、この構造が６８６型以上のコンピュータ或いはその他の高周波電気信号伝送例えば毎秒１００ＭＨｚ〜２５０ＭＨｚに使用される場合は、第３芯線と第１、２芯線或いは第４、５芯線及び第６芯線と第４、５芯線或いは第７、８芯線の相互干渉の状況を発生し、電気信号伝送品質に影響が生じる。
【考案の開示】
【考案が解決しようとする課題】
【０００３】
　ゆえに、本考案は、一種のケーブルプラグを提供することを課題とし、それは、電気信号線を挿入する挿入部の第３及び第６挿入チャネルの中心点がその他の挿入チャネルの中心点と上下に適当な距離離れ、これにより高周波信号伝送時に電気信号線の８本の芯線が相互間で干渉を発生するのを防止し、これにより電気信号伝送品質を確保できるものとする。
【課題を解決するための手段】
【０００４】
　請求項１の考案は、プラグ本体と、嵌合片とを具えたケーブルプラグであり、
　該プラグ本体は、一体成形された係止部を具え、該係止部はＲＪ４５ソケットに挿入位置決めするのに供され、該プラグ本体の前側に８本の同じ間隔で設けられたスロットがあり、自動機械により８つの導電金属片を挿入するのに供され、該プラグ本体に空間が開設されて嵌合片の挿入に供され、且つ該空間がプラグ本体の前側に開設された８本のスロットと連通し、
　該嵌合片は、電気信号線を導入し、その前側は挿入部とされ、該挿入部に８本の挿入チャネルが開設され、且つ該挿入部の上方に別にスロットが開設されて各挿入チャネルと連通し、該８本の挿入チャネルが電気信号線の第１から第８芯線の挿入に供され、芯線を挿入後の嵌合片が該プラグ本体内に挿入されてプラグ本体に組み付けられるケーブルプラグにおいて、
　該嵌合片の挿入部の提供する第３芯線と第６芯線の挿入に供される第３挿入チャネルと第６挿入チャネルの中心点がその他の挿入チャネルの中心点と非同一中心線上にあり、上下に適当な距離を離れた状態を呈し、これにより高周波信号伝送時に、第３芯線が第１、第２或いは第４、第５芯線と相互干渉を発生せず、且つ第６芯線が第４、第５或いは第７、第８芯線と相互干渉を発生せず、これにより良好な高周波信号伝送品質を確保できることを特徴とする、ケーブルプラグとしている。
　請求項２の考案は、請求項１記載のケーブルプラグにおいて、嵌合片の挿入部の第３挿入チャネルが、第２、第４挿入チャネルと隔離されて隔離壁が形成され、第６挿入チャネルが第５、第７挿入チャネルと隔離されて隔離壁が形成され、これにより電気信号干渉防止機能が高められたことを特徴とする、ケーブルプラグとしている。
【考案の効果】
【０００５】
　本考案は、一種のケーブルプラグを提供し、それは、電気信号線を挿入する挿入部の第３及び第６挿入チャネルの中心点がその他の挿入チャネルの中心点と上下に適当な距離離れ、これにより高周波信号伝送時に電気信号線の８本の芯線が相互間で干渉を発生するのを防止し、これにより電気信号伝送品質を確保できる。
【考案を実施するための最良の形態】
【０００６】
　図５から図８に示されるように、本考案のケーブルプラグは、プラグ本体１と、嵌合片２とを具えている。
【０００７】
　該プラグ本体１は、一体成形された係止部１１を具え、該係止部１１はＲＪ４５ソケット（図示せず）に挿入位置決めするのに供され、該プラグ本体１の前側に８本の同じ間隔で設けられたスロット１２があり、それぞれ自動機械（図示せず）（周知の機械であるため説明は省略する）により８つの導電金属片１３を挿入するのに供され、そのうち、該プラグ本体１に空間１４（図７参照）が開設されて嵌合片２の挿入に供され、且つ該空間１４がプラグ本体１の前側に開設された８本のスロット１２と連通している。
【０００８】
　該嵌合片２は、電気信号線３を導入し、その前側は挿入部２２とされ、該挿入部２２に８本の挿入チャネル２２１、２２２、２２３、２２４、２２５、２２６、２２７、２２８が開設され、且つ該挿入部２２の上方に別にスロット２２０１、２２０２、２２０３、２２０４、２２０５が開設されて各挿入チャネル２２１、２２２、２２３、２２４、２２５、２２６、２２７、２２８と連通している。
【０００９】
　組合せ時には、電気信号線３の第１から第８芯線３１、３２、３３、３４、３５、３６、３７、３８（図６参照）が速やかに便利に嵌合片２の挿入部２２の第１から第８挿入チャネル２２１、２２２、２２３、２２４、２２５、２２６、２２７、２２８に整合され挿入され、その後、さらに嵌合片２がプラグ本体１内に取り付けられる。各芯線３１、３２、３３、３４、３５、３６、３７、３８の前橋上方はプラグ本体１前側の８本のスロット１２内の８つの導電金属片１３の下方にアライメントされ、さらに自動加圧機械（図示せず）の加圧加工（これは周知の技術に属するため説明を省略する）により、各導電金属片１３が各芯線３１、３２、３３、３４、３５、３６、３７、３８内に所定の深さまで突き刺される。
【００１０】
　本考案の特徴は以下のとおりである。
　該嵌合片２の挿入部２２の提供する第３芯線３３と第６芯線３６の挿入に供される第３挿入チャネル２２３と第６挿入チャネル２２６の中心点がその他の挿入チャネル２２１、２２２、２２４、２２５、２２７、２２８の中心点と非同一中心線上にあり、上下に適当な距離を離れた状態を呈し（図８参照）、これにより高周波信号伝送時に、第３芯線３３が第１、第２或いは第４、第５芯線３１、３２、３４、３５と相互干渉を発生せず、且つ第６芯線３６が第４、第５或いは第７、第８芯線３４、３５、３７、３８と相互干渉を発生せず、これにより良好な高周波信号伝送品質を確保できる。
【００１１】
　さらに、前述の嵌合片２の挿入部２２の第３挿入チャネル２２３が、第２、第４挿入チャネル２２２、２２４と隔離されて隔離壁２２３２、２２３３が形成され、第６挿入チャネル２２６が第５、第７挿入チャネル２２５、２２７と隔離されて隔離壁２２６２、２２６３が形成され、これにより電気信号干渉防止の効果が更に高められ、また、電気信号線３の各芯線３１、３２、３３、３４、３５、３６、３７、３８の露出が必要な部分が減らされ、これによっても電気信号伝送品質が高められる。
【図面の簡単な説明】
【００１２】
【図１】周知のモジュール式ケーブルプラグの組合せ前の斜視図である。
【図２】周知のモジュール式ケーブルプラグのプラグ本体の断面図である。
【図３】周知のモジュール式ケーブルプラグの嵌合片の断面図である。
【図４】周知のモジュール式ケーブルプラグの組合せ後の断面図である。
【図５】本考案の組合せ前の部分立体分解図である。
【図６】本考案中の嵌合片に電気信号線を挿入したがプラグ本体と組合せる前の断面図である。
【図７】本考案のプラグ本体の断面図である。
【図８】本考案の嵌合片の断面図である。
【符号の説明】
【００１３】
　１　プラグ本体
　１１　係止部
　１２　スロット
　１３　導電金属片
　１４　空間
　２　嵌合片
　３　電気信号線
　２２１、２２２、２２３、２２４、２２５、２２６、２２７、２２８　挿入チャネル
　２２０１、２２０２、２２０３、２２０４、２２０５　スロット
　３１、３２、３３、３４、３５、３６、３７、３８　芯線
　２２３２、２２３３　隔離壁
　２２６２、２２６３　隔離壁
【図１】
0003100424.tif 000003
【図２】
0003100424.tif 000004
【図３】
0003100424.tif 000005
【図４】
0003100424.tif 000006
【図５】
0003100424.tif 000007
【図６】
0003100424.tif 000008
【図７】
0003100424.tif 000009
【図８】
0003100424.tif 000010